(57)【要約】【課題】自動車車内において閉傘した傘の収納部への挿入、取り出しを円滑、短時間に行なえ、耐久性が高く、取付残痕を残さない自動車用傘収納装置を提供する。【解決手段】    自動車用傘収納装置であり、傘の挿入口を有する剛性の長筒状収納部１０と、長筒状収納部に接続され自動車ドアのドアパネルの室内側上端部に着脱自在に掛けられる上フック部を有する上掛け部３０と、長筒状収納部に接続され自動車ドアのドアパネルの室内側下端部に着脱自在に掛けられる下フック部を有する下掛け部５０と、長筒状収納部を不動状に支持する不動状支持装置７０と、を有し、不動状支持装置は、長筒状収納部１０と下フック部５０との接続長さを可変調節する長さ調節機構２を含む。縦長配置の長筒状収容部を安定的に不動支持する。【選択図】図１
2018114875.tif 000002
【特許請求の範囲】
【請求項１】
自動車ドアのドアパネルの室内側に縦長で配置される自動車用傘収納装置であり、
傘の挿入口を有する剛性の長筒状収納部と、
長筒状収納部に接続され自動車ドアのドアパネルの室内側上端部に着脱自在に掛けられる上フック部を有する上掛け部と、
長筒状収納部に接続され自動車ドアのドアパネルの室内側下端部に着脱自在に掛けられる下フック部を有する下掛け部と、
長筒状収納部を不動状に支持する不動状支持装置であって、長筒状収納部と下フック部との接続長さを可変調節する長さ調節機構を有する不動状支持装置と、を含むことを特徴とする自動車用傘収納装置。
【請求項２】
下掛け部は長さ調節機構を具備した長筒状収納部と下フック部との接続用の索条体を含むことを特徴とする請求項１記載の自動車用傘収納装置。
【請求項３】
接続用の索条体の全部又は一部が伸縮弾性材であることを特徴とする請求項２記載の自動車用傘収納装置。
【請求項４】
上掛け部は長筒状収納部と上フック部との接続用の索条体を含むことを特徴とする請求項１ないし３のいずれかに記載の自動車用傘収納装置。
【請求項５】
長さ調節機構は、長筒状収納部と下フック部との接続用索条体の端部と、長筒状収納部と、を着脱自在に結合する面ファスナ装置を含むことを特徴とする請求項２ないし４のいずれかに記載の自動車用傘収納装置。
【請求項６】
長筒状収納部と上フック部との接続用索条体の端部と、長筒状収納部と、を着脱自在に結合する面ファスナ装置が設けられていることを特徴とする請求項４又は５記載の自動車用傘収納装置。
【請求項７】
下掛け部の伸縮弾性材は、長筒状収納部を自動車ドアのドアパネルに近接する方向に引張付勢するように長筒状収納部の下部側筒部を周回して掛け回されていることを特徴とする請求項３ないし６のいずれかに記載の自動車用傘収納装置。
【請求項８】
長筒状収納部の上端側に接続用索条体の案内挿入孔が設けられていることを特徴とする請求項４ないし７のいずれかに記載の自動車用傘収納装置。
【請求項９】
自動車ドアのドアパネルに接する側の長筒状収納部の周壁外面には滑り止め部材が取り付けられていることを特徴とする請求項１ないし８のいずれかに記載の自動車用傘収納装置。
【発明の詳細な説明】
【技術分野】
【０００１】
本発明は、自動車内で傘を収納できる自動車用傘収納装置に関する。
【背景技術】
【０００２】
雨天時等に傘を自動車内に持ち込むと座席シートや車内フロア部を濡らし、搭乗者の着衣や携行した書類等も濡らしてしまうおそれがある。この問題を解決するために自動車内に設置する傘の収納具や傘入れについて提案がなされている。
【先行技術文献】
【特許文献】
【０００３】
【特許文献１】特開２００６−１４２８６０号公報
【特許文献２】実開昭５５−１４７９４０号公報
【発明の概要】
【発明が解決しようとする課題】
【０００４】
以下、この段落中の説明に使用する部材番号は、従来の技術の説明のために本段落についてのみ適用され、本件発明の実施態様の説明に用いられる符号とは無関係とする。特許文献１の車内用傘立ては、閉傘状態の傘を上端開口１１１から差し込んで収納する収納ケース１００と、収納ケースを着脱自在に取り付けるホルダー２００とで車内用傘立て１０を構成し、収納ケース１００を伸縮可能なように複数の筒体から多段に形成したもので、これによって、車内の適所に傘立てを取り付けることができ、また、不使用時に収納ケースを収縮して適宜の収納部に収納し得ることを企図している。しかしながら、特許文献１の車内用傘立ては、上段筒体１１０の係止片１１２で上端側を係止させ、同筒体１１０の上部をホルダー２００のクリップ状把持部２２０に係止させているだけで、下端側が固定されていないから閉傘しただけの傘では傘の挿入時に収納ケースの下部側が不安定に動き、円滑、短時間に濡れた傘を挿入するのは困難である。また、数度の傘の挿入、取り出し操作で支持が緩くなり、またホルダーの基板部２１０が剥離して離脱し、結局、傘の挿入、取り出し自体が円滑に行えなくなるおそれがある。また、ホルダー２００の基板部２１０を両面テープで車内の適所に貼着して取り付けるから、ほとんど曲面部分で形成されている自動車のドアパネル内側などには現実としてホルダー自体を取り付けるのは困難である。また、貼着で自動車車内に取り付けると車内のスマート感を損ない、また、いったん取り付けた両面テープの剥がし跡が見苦しくなる。また、特許文献２は、下方先細の柔軟な袋をドアーの内側に装着し、該袋の下端部をドアーの下端と車体のドアー枠の間に挟みこんだ自動車の傘収納具に関するものである。この文献の考案では傘を収納する袋は柔軟な合成樹脂等のシートから作成し、これを面ファスナ等を用いてドアーの内側に取り付けたもので、袋自体の形状が定まっておらず、さらに、自動車本体への取付固定が極めて不安定であるから濡れた傘等の装着、取り出し作業を円滑に行うのは困難である。また、数回の装着、取り出し操作で袋が破損、破裂し使用出来なくなるおそれが高い。また、袋の取付用で車内に１つの面ファスナ部材の貼着が必要となり車内のスマート感や、剥がし跡の残痕で美感を損なうおそれがある。また、袋の下端部をドアーの下端と車体のドアー枠の間に挟みこむので傘の石突き先端を誤ってドアーの下端とドアー枠間に挟み込んでしまうおそれがあり、傘ばかりでなく自動車本体側を損傷するおそれがある、という問題がある。
【０００５】
本発明は上記従来の課題に鑑みてなされたものであり、その一つの目的は、自動車車内において閉傘した傘の収納部への挿入、取り出しを円滑、短時間に行えるとともに、耐久性が高く、しかも自動車ドア内側の任意の部分において確実に位置決めした状態で車体側に取付残痕をほとんど残すことなく自動車内に取り付けることができる自動車用傘収納装置を提供することにある。
【課題を解決するための手段】
【０００６】
上記課題を解決するために本発明は、自動車ドアＤＲのドアパネルＤＰの室内側に縦長で配置される自動車用傘収納装置１であり、傘Ｕの挿入口１２を有する剛性の長筒状収納部１０と、長筒状収納部１０に接続され自動車ドアＤＲのドアパネルＤＰの室内側上端部ＵＥに着脱自在に掛けられる上フック部３２を有する上掛け部３０と、長筒状収納部１０に接続され自動車ドアＤＲのドアパネルＤＰの室内側下端部ＬＥに着脱自在に掛けられる下フック部５２を有する下掛け部５０と、長筒状収納部１０を不動状に支持する不動状支持装置であって、長筒状収納部１０と下フック部５２との接続長さを可変調節する長さ調節機構２を有する不動状支持装置７０と、を含む自動車用傘収納装置１から構成される。
【０００７】
その際、下掛け部５０は長さ調節機構２を具備した長筒状収納部１０と下フック部５２との接続用の索条体５４を含むとよい。
【０００８】
また、接続用の索条体５４の全部又は一部が伸縮弾性材５６であるとよい。
【０００９】
さらに、上掛け部３０は長筒状収納部１０と上フック部３２との接続用の索条体４０を含むとよい。
【００１０】
さらに、長さ調節機構２は、長筒状収納部１０と下フック部５２との接続用索条体５４の端部と、長筒状収納部１０と、を着脱自在に結合する面ファスナ装置６０を含むとよい。
【００１１】
また、長筒状収納部１０と上フック部３２との接続用索条体４０の端部と、長筒状収納部１０と、を着脱自在に結合する面ファスナ装置４６を設けてもよい。
【００１２】
また、下掛け部５０の伸縮弾性材５６は、長筒状収納部１０を自動車ドアＤＲのドアパネルＤＰに近接する方向に引張付勢するように長筒状収納部１０の下部側筒部を周回して掛け回されてもよい。
【００１３】
また、長筒状収納部１０の上端側に接続用索条体４０の案内挿入孔１３を設けるとよい。
【００１４】
また、自動車ドアＤＲのドアパネルＤＰに接する側の長筒状収納部１０の周壁外面には滑り止め部材２８を取り付けてもよい。
【発明の効果】
【００１５】
本発明の自動車用傘収納装置によれば、自動車ドアのドアパネルの室内側に縦長で配置される自動車用傘収納装置であり、傘の挿入口を有する剛性の長筒状収納部と、長筒状収納部に接続され自動車ドアのドアパネルの室内側上端部に着脱自在に掛けられる上フック部を有する上掛け部と、長筒状収納部に接続され自動車ドアのドアパネルの室内側下端部に着脱自在に掛けられる下フック部を有する下掛け部と、長筒状収納部を不動状に支持する不動状支持装置であって、長筒状収納部と下フック部との接続長さを可変調節する長さ調節機構を有する不動状支持装置と、を含む構成であるから、自動車車内において閉傘した傘の収納部への挿入、取り出しを円滑、短時間に行える。また、耐久性が高く、しかも自動車ドア内側の任意の部分において確実に位置決めした状態で車体側に取付残痕をほとんど残すことなく自動車内に取り付けることができる。
【図面の簡単な説明】
【００１６】
【図１】本発明の自動車用傘収納装置の縦断面説明図である。
【図２】図１の自動車用傘収納装置の斜視図である。
【図３】図１の自動車用傘収納装置を自動車のドアパネルに取り付けた状態の正面説明図である。
【図４】図１の自動車用傘収納装置の正面説明図である。
【図５】図１の自動車用傘収納装置を自動車のドアパネルに取り付けた状態の縦断面説明図である。
【図６】本発明の自動車用傘収納装置の作用説明図である。
【図７】図１の自動車用傘収納装置の上掛け部の一部省略拡大説明図である。
【図８】図１の自動車用傘収納装置の下掛け部の一部省略拡大説明図である。
【図９】図１の自動車用傘収納装置の長筒状収納部の下端部分の一部省略縦断面説明図である。
【図１０】図１の自動車用傘収納装置に傘を収納した状態の縦断面説明図である。
【発明を実施するための形態】
【００１７】
以下添付図面を参照しつつ本発明の粉粒体の自動車用傘収納装置の一実施形態について説明する。
【００１８】
図１ないし図１０は、本発明の一実施形態を示しており、実施形態の自動車用傘収納装置１は、図３，５に示すように、自動車の室内、特に自動車ドアのドアパネルＤＰの室内側に縦方向に長く（縦長の状態で）配置される。本実施形態の自動車用傘収納装置１は、長筒状収納部１０と、上掛け部３０と、下掛け部５０と、不動状支持装置７０と、を含む。
【００１９】
長筒状収納部１０は、上端側に傘Ｕの挿入口１２を有する中空長筒状の剛体からなり、合成樹脂成型や紙、木、竹材を組み合わせた長筒体、軽金属成形品などで構成され、好ましくは、内外壁面に防水処理を施したものがよい。長筒状収納部１０はその内部側中空部が傘本体の収納部１４となる。実施形態の長筒状収納部１０は、断面が任意の多角形状でもよいが、強度、製作容易性の点から、円形断面とするのが好ましい。図１、２に示すように本実施形態において、長筒状収納部１０は、下側にいくほど先細りとなる形状であり、下端部は平板状の底板１６で止められて傘の石突Ｆを受け止める。底板１６には水抜き孔１８が設けられ、さらにその下面側に水抜き孔１８を開閉する開閉栓２０がヒンジ２２により開閉可能に取り付けられている（図９参照）。長筒状収納部１０の上端側は筒軸に直角方向の切断部分１２ａと、長筒を湾曲斜めに切り欠いた斜切断部分１２ｂにより挿入口１２が形成されており、閉傘状態の傘が困難なく出し入れしやすいように形成されている。なお、挿入口１２は、傘の挿入並びに取り出し口として機能する。実施形態において、長筒状収納部１０の斜め切断部分１２ｂの切欠上端部に接続用索条体４０の案内挿入孔１３が設けられている。上端側に上フック部３２を連結した接続用索条体４０の下端側をこの案内挿入孔１３に通係しその先端側を長筒状収納部に係着させた際に、長筒状収納部１０の周方向の位置を決めてドアパネル内側での長筒状収納部の位置決めを安定化させることができる。
【００２０】
上掛け部３０は、自動車ドアＤＲのドアパネルＤＰの室内側上端部から長筒状収納部１０を垂下状に支持する長筒状収納部の上位支持手段であり、上フック部３２を有している。長筒状収納部１０と上フック部３２とは直接的または間接的に接続されている。直接に接続する場合は長筒状収納部１０の斜切断部分１２ｂの上端側に上フック部を取り付け、この上フック部を自動車ドアＤＲのドアパネルＤＰの室内外上端部に引っ掛けて長筒状収納部を支持する。本実施形態では上掛け部３０は長筒状収納部１０と上フック部３２との接続用索条体４０を含み、この接続用索条体４０を介して上フック部３２と長筒状収納部１０とが接続される。なお、図３中、ＧＳはドアガラス部である。
【００２１】
上フック部３２は、自動車ドアＤＲのドアパネルＤＰの室内側上端部ＵＥに着脱自在に掛けられる上フック手段であり、例えばドアパネル本体の内側に張り合わせ嵌合される室内側ドアパネル上端部からドアウインドウ溝（孔）縁にかけて係着、離脱自在に掛けられるフック部材を含む。図７に示すように、本実施形態の上フック部３２は、直線部３３から鈍角で変向した曲げ部３４を備えており、曲げ部３４の先端部にフック形状のフック３５が設けられている。フック部３２は図４に示すように金属線条金具を曲げ加工して正面視で略Ｔ字形状とし、Ｔ字の横棒部分を細長孔のループ部３６とするとともにＴ字の縦棒部分が直線部３３を形成している。曲げ部３４はフック３５の曲がり方向と反対方向に曲がる反り部３７を有しており、自動車のドアパネル室内側上端部に係着する際にフック３５の曲がりと反り部３７の反力によりパネル上端部への係着を確実にする。
【００２２】
接続用索条体４０は、上フック部３２と長筒状収納部１０とを連結接続する繋留手段であり、これによって、各種メーカや車種によって異なる自動車のドアパネル室内側上部の形状に応じて垂下状に吊支でき、多くの任意車種について取り付け痕を残すことなく簡単に取り付けることができる。ここに接続用索条体４０は、紐、ベルト、ゴムその他の伸縮弾性索条、金属線条などの金属索条を含み、柔軟な素材で両端側で長筒状収納部１０及び上フック部３２に連結部分を有する。実施形態において接続用索条体４０として布製等のベルトが用いられており、その一端が上フック部３２に連結されると共に、他端は長筒状収納部１０側に連結される。すなわち、実施形態において、ベルトは、一端が上フック部３２のＴ字状金具のループ部３６を挿通して巻き止められると共に、他端が長筒状収納部１０の外周面に着脱自在に係着するようになっている。
【００２３】
図１、２において、一端に上フック部３２を連結した接続用索条体４０の他端に面ファスナ部材４１が取り付けられている。一方、ベルトの他端側延長部分となる長筒状収納部１０の外周に面ファスナ部材２４が取り付けられている。これらの面ファスナ部材４１，２４は、多数のフックとループ群の雌雄嵌合により着脱自在に係着する。これによって、一端に上フック部３２を連結した接続用索条体４０の他端側と長筒状収納部との面ファスナ結合位置を上下に変化させることができ、自動車ドアパネルの内装の任意の形状に対応してそれらの外周に長筒状収納部の上位支持部分を密着状に取り付けることができる。また、上フック部３２をドアパネル上端側に引っ掛けた後で、長筒状収納部１０と接続用索条体４０の面ファスナ結合位置を簡単かつ短時間に調整設定することができる。
【００２４】
実施形態において、面ファスナ部材４１と長筒側面ファスナ部材２４とが上掛け部面ファスナ装置４６を構成する。
【００２５】
下掛け部５０は、自動車ドアＤＲのドアパネルＤＰの室内側に配置した長筒状収納部１０の下側に接続されて長筒状収納部の下側を拘束支持する長筒状収納部の下位支持手段であり、下フック部５２を有している。そして、上掛け部３０と協働して長筒状収納部１０をドアパネルの内側において縦長で横方向に動かないように位置決め支持する。
【００２６】
下フック部５２は、自動車ドアＤＲのドアパネルＤＰの室内側下端部ＬＥに着脱自在に掛けられる下フック手段であり、例えばドアパネル本体の内側に張り合わせ嵌合される室内側ドアパネル下端縁に係着、離脱自在に掛けられるフック部材を含む。下フック部５２は、Ｖ字状に屈曲した屈曲部を有する金属又は合成樹脂製の屈曲部材で形成されている。
【００２７】
本実施形態において、下掛け部５０は、下フック部５２と、接続用索条体５４と、伸縮弾性材５６と、を含む。接続用索条体５４は、上掛け部３０側の接続用索条体４０と同様に、紐、ベルト、金属索条を含み、柔軟な素材で両端側で長筒状収納部１０及び下フック部５２に連結部分を有する。実施形態において、下フック部５２には一端を連結して一つの接続用索条体５４としてのベルト５５が接続されている。
【００２８】
接続用索条体５４は、下フック部５２と長筒状収納部１０とを連結接続する繋留手段であり、これによって、各種自動車のドアパネル室内側下部の形状に応じてベルト等を密着させる部分を形成し、下掛け部による長筒状収納部の下側の支持をさせやすくしている。下フック部によるドアパネル下端部分への着脱係合による係止により取り付け痕を残すことがない。
【００２９】
さらに、本実施形態では、ベルト５５の他端側に他の接続用索条体５４としての伸縮弾性材５６の一端が巻き止められて連結されている。実施形態では伸縮弾性材５６は環状のゴム紐からなり、該ゴム紐の他端側が長筒状収納部１０に着脱自在に係着される。これによって、下掛け部５０はドアパネルＤＰの室内側下端部ＬＥを起点にとって長筒状収納部１０の下部側を支持する。
【００３０】
不動状支持装置７０は、長筒状収納部１０をドアパネルＤＰの内側で縦長に配置して簡単に位置づれしないように支持する位置づれ防止手段であり、特に、本実施形態では、長さ調節機構２を含む。長さ調節機構２は、長筒状収納部１０と下フック部５２との接続長さを可変調節する可変調節手段であり、本実施形態において、伸縮弾性材５６の一端側と長筒状収納部１０の下端寄りの正面側とに取り付けた面ファスナ部材５８、２６との雌雄嵌合により着脱自在に結合する下掛け部面ファスナ装置６０を含む。下掛け部５０は長さ調節機構２を具備した長筒状収納部１０と下フック部５２との接続用の索条体５４を含むことにより、長筒状収納部１０を垂下支持した状態で下掛け部側の接続用索条体５４の長さを長短調節することにより、ドアパネル下端側への適度の引張緊張状態を形成し、長筒状収納部の不動支持を実効化させる。長さ調節機構２は、長筒状収納部１０と下フック部５２との接続用索条体４０の端部と、長筒状収納部１０と、を着脱自在に結合する面ファスナ装置６０を含むので、下フック部５２をドアパネル下端側に引っ掛けた後で、長筒状収納部１０と接続用索条体の面ファスナ結合位置を簡単かつ短時間に調整でき、さらに、適度の緊張状態による不動支持位置を設定することができる。
【００３１】
面ファスナ部材５８、２６は、多数のフックとループ群の雌雄嵌合により着脱自在に係着する。伸縮弾性材５６に取り付けた面ファスナ部材５８の面ファスナ部材２６との結合位置を上下変更することによりドアパネル下端側への引張力が変り、強い緊張支持状態で長筒状収納部１０の不動支持を確実にすることができる。特に、本実施形態では下フック部５２にベルトとゴム紐を連結した索条体を用いているから、外力で長筒状収納部１０の位置がずらされても確実に元の支持位置に復元する。また、自動車ドアパネルの内装の任意の形状に対応してそれらの外周に長筒状収納部の下位支持部分を密着状に取り付けることができる。
【００３２】
なお、図１〜４、６に示すように、下掛け部５０の伸縮弾性材５６であるゴム紐は、長筒状収納部１０を自動車ドアのドアパネルＤＰに近接する方向に引張付勢するように長筒状収納部１０の下部側筒部１０ｕを周回して掛け回されている。これによって、さらに、長筒状収納部１０の下位支持部分をドアパネル側に密着状に取り付けて支持させることができる。本実施形態では、接続用の索条体５４をベルト５５と伸縮弾性材５６との組み合わせで構成しているが、ベルトのみあるいは伸縮弾性材のみで構成してもよい。接続用索条体５４に伸縮弾性材を含めると、下フック部５２をドアパネル下端側に掛けて適度の緊張支持状態を設定しやすくなり、また、長筒状収納部の位置ずれ防止、設定位置への復元性等を得ることができる。さらに、長さ調整をしやすくなる。
【００３３】
長筒状収納部１０と下フック部５２との接続長さを調節する調節手段としては、上記の実施形態の構成に限らず、例えば接続用索条体の中間部をＤ環やバックル、その他の留め具で止めて長さ調整するものや、ガイドとスライダ係合、ラック・ピニオン係合、リニアガイドを利用した接続形態とすることもできる。
【００３４】
前述したように、本実施形態では上掛け部３０についても長筒状収納部１０と上フック部３２との接続用索条体４０が設けられ該接続用索体としてのベルト端部と長筒状収納部１０とが上掛け部面ファスナ装置４６により、面ファスナ接続されているので、下掛け部５０との協働によりドアパネル内側に簡単な操作で、かつ、すばやく長筒状収納部１０を縦長配置し、良好な緊張支持位置を設定することが可能である。
【００３５】
また、図１、５において、自動車ドアのドアパネルＤＰに接する側の長筒状収納部１０の周壁外面には滑り止め部材２８が取り付けられている。これによって、接続用索条体５４により長筒状収納部の胴側部をドアパネルＤＰ側に密着付勢させつつその密着位置での横方向への不動支持を確実なものとし得る。
【００３６】
本実施形態の自動車用傘収納装置の使用に際しては、長筒状収納部１０の案内挿入孔１３から接続用索条体４０としてのベルトの下端を挿入し、ベルトの下端の面ファスナ部材４１を長筒状収納部側の面ファスナ部材２４の適宜の高さ位置で接続させる。この状態で、上掛け部３０の上フック部３２を自動車内のドアパネルＤＰの上端部に掛けて長筒状収納部１０を縦長垂下状に支持させる。次に開放状態の自動車ドアの下端縁にＶ字鉤状の下フック部５２を引っ掛け、接続用索条体５４の伸縮弾性材５６を引き出して長筒状収納部１０の下部側筒部１０ｕを周回させ、伸縮弾性材５６に取り付けた面ファスナ部材５８を長筒状収納部の下側の面ファスナ部材２６に係着させる。伸縮弾性材５６であるゴム紐は、長筒状収納部１０を自動車ドアのドアパネルＤＰに近接する方向に引張付勢し、縦長の長筒状収納部を確実に不動支持する。合成樹脂や軽金属等で構成される長筒状収納部は雨傘等の挿入口１２からの出し入れ程度の使用では容易に形状を変形させることがなく、また、強度、耐久性も十分に有する。雨天時等である程度乱暴に傘を抜き差ししても長筒状収納部の角度や位置が変化することなく、安定して操作が可能である。また、ドアパネルの上下端側にフックを係着させるだけであるから、取り付け残痕を留めることなく、車内美感を維持できる。雨天時の使用によって、長筒状収納部１０の筒内に雫が滴下し底部に滞留するので、適宜、開閉栓２０を開栓して水抜き孔１８から排水することができる。
【００３７】
以上説明した本発明の自動車用傘収納装置は、上記した実施形態のみの構成に限定されるものではなく、特許請求の範囲に記載した発明の本質を逸脱しない範囲において、任意の改変を行ってもよい。
【産業上の利用可能性】
【００３８】
本発明の自動車用傘収納装置は、自動車関連部品等として製作、実施し本体自動車の使用上の利便性を向上させ得る。
【符号の説明】
【００３９】
ｇ  粉粒体
１  自動車用傘収納装置
２  長さ調節機構
１０  長筒状収納部
１３  案内挿入孔
２４  長筒側面ファスナ部材（上掛け部）
２６  長筒側面ファスナ部材（下掛け部）
３０  上掛け部
３２  上フック部
３５  フック
４０  接続用索条体（上掛け部）
４１  面ファスナ部材（上掛け部接続用索条体）
４６  上掛け部面ファスナ装置
５０  下掛け部
５２  下フック部
５４  接続用索条体（下掛け部）
５６  伸縮弾性材
５８  面ファスナ部材（下掛け部の伸縮弾性材）
６０  下掛け部面ファスナ装置
７０  不動状支持機構
ＤＰ  自動車ドアパネル
ＵＥ  ドアパネルの室内側上端部
ＬＥ  ドアパネルの室内側下端部
【図１】
2018114875.tif 000003
【図２】
2018114875.tif 000004
【図３】
2018114875.tif 000005
【図４】
2018114875.tif 000006
【図５】
2018114875.tif 000007
【図６】
2018114875.tif 000008
【図７】
2018114875.tif 000009
【図８】
2018114875.tif 000010
【図９】
2018114875.tif 000011
【図１０】
2018114875.tif 000012
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
自動車ドアのドアパネルの室内側に縦長で配置される自動車用傘収納装置であり、
傘の挿入口を有する剛性の長筒状収納部と、
長筒状収納部に接続され自動車ドアのドアパネルの室内側上端部に着脱自在に掛けられる上フック部を有する上掛け部と、
長筒状収納部に接続され自動車ドアのドアパネルの室内側下端部に着脱自在に掛けられる下フック部を有する下掛け部と、
長筒状収納部を不動状に支持する不動状支持装置であって、長筒状収納部と下フック部との接続長さを可変調節する長さ調節機構を有する不動状支持装置と、を含み、
下掛け部は長さ調節機構を具備した長筒状収納部と下フック部との接続用の索条体を含み、
長さ調節機構は、長筒状収納部と下フック部との接続用索条体の端部と、長筒状収納部と、を着脱自在に結合する面ファスナ装置を含むことを特徴とする自動車用傘収納装置。
【請求項２】
自動車ドアのドアパネルの室内側に縦長で配置される自動車用傘収納装置であり、
傘の挿入口を有する剛性の長筒状収納部と、
長筒状収納部に接続され自動車ドアのドアパネルの室内側上端部に着脱自在に掛けられる上フック部を有する上掛け部と、
長筒状収納部に接続され自動車ドアのドアパネルの室内側下端部に着脱自在に掛けられる下フック部を有する下掛け部と、
長筒状収納部を不動状に支持する不動状支持装置であって、長筒状収納部と下フック部との接続長さを可変調節する長さ調節機構を有する不動状支持装置と、を含み、
上掛け部は長筒状収納部と上フック部との接続用の索条体を含み、
長筒状収納部と上フック部との接続用索条体の端部と、長筒状収納部と、を着脱自在に結合する面ファスナ装置が設けられていることを特徴とする自動車用傘収納装置。
【請求項３】
接続用の索条体の全部又は一部が伸縮弾性材であることを特徴とする請求項１記載の自動車用傘収納装置。
【請求項４】
下掛け部の伸縮弾性材は、長筒状収納部を自動車ドアのドアパネルに近接する方向に引張付勢するように長筒状収納部の下部側筒部を周回して掛け回されていることを特徴とする請求項３記載の自動車用傘収納装置。
【請求項５】
長筒状収納部の上端側に接続用索条体の案内挿入孔が設けられていることを特徴とする請求項２記載の自動車用傘収納装置。
【請求項６】
自動車ドアのドアパネルに接する側の長筒状収納部の周壁外面には滑り止め部材が取り付けられていることを特徴とする請求項１ないし５のいずれかに記載の自動車用傘収納装置。
【手続補正２】
【補正対象書類名】明細書
【補正対象項目名】全文
【補正方法】変更
【補正の内容】
【発明の詳細な説明】
【技術分野】
【０００１】
本発明は、自動車内で傘を収納できる自動車用傘収納装置に関する。
【背景技術】
【０００２】
雨天時等に傘を自動車内に持ち込むと座席シートや車内フロア部を濡らし、搭乗者の着衣や携行した書類等も濡らしてしまうおそれがある。この問題を解決するために自動車内に設置する傘の収納具や傘入れについて提案がなされている。
【先行技術文献】
【特許文献】
【０００３】
【特許文献１】特開２００６−１４２８６０号公報
【特許文献２】実開昭５５−１４７９４０号公報
【発明の概要】
【発明が解決しようとする課題】
【０００４】
以下、この段落中の説明に使用する部材番号は、従来の技術の説明のために本段落についてのみ適用され、本件発明の実施態様の説明に用いられる符号とは無関係とする。特許文献１の車内用傘立ては、閉傘状態の傘を上端開口１１１から差し込んで収納する収納ケース１００と、収納ケースを着脱自在に取り付けるホルダー２００とで車内用傘立て１０を構成し、収納ケース１００を伸縮可能なように複数の筒体から多段に形成したもので、これによって、車内の適所に傘立てを取り付けることができ、また、不使用時に収納ケースを収縮して適宜の収納部に収納し得ることを企図している。しかしながら、特許文献１の車内用傘立ては、上段筒体１１０の係止片１１２で上端側を係止させ、同筒体１１０の上部をホルダー２００のクリップ状把持部２２０に係止させているだけで、下端側が固定されていないから閉傘しただけの傘では傘の挿入時に収納ケースの下部側が不安定に動き、円滑、短時間に濡れた傘を挿入するのは困難である。また、数度の傘の挿入、取り出し操作で支持が緩くなり、またホルダーの基板部２１０が剥離して離脱し、結局、傘の挿入、取り出し自体が円滑に行えなくなるおそれがある。また、ホルダー２００の基板部２１０を両面テープで車内の適所に貼着して取り付けるから、ほとんど曲面部分で形成されている自動車のドアパネル内側などには現実としてホルダー自体を取り付けるのは困難である。また、貼着で自動車車内に取り付けると車内のスマート感を損ない、また、いったん取り付けた両面テープの剥がし跡が見苦しくなる。また、特許文献２は、下方先細の柔軟な袋をドアーの内側に装着し、該袋の下端部をドアーの下端と車体のドアー枠の間に挟みこんだ自動車の傘収納具に関するものである。この文献の考案では傘を収納する袋は柔軟な合成樹脂等のシートから作成し、これを面ファスナ等を用いてドアーの内側に取り付けたもので、袋自体の形状が定まっておらず、さらに、自動車本体への取付固定が極めて不安定であるから濡れた傘等の装着、取り出し作業を円滑に行うのは困難である。また、数回の装着、取り出し操作で袋が破損、破裂し使用出来なくなるおそれが高い。また、袋の取付用で車内に１つの面ファスナ部材の貼着が必要となり車内のスマート感や、剥がし跡の残痕で美感を損なうおそれがある。また、袋の下端部をドアーの下端と車体のドアー枠の間に挟みこむので傘の石突き先端を誤ってドアーの下端とドアー枠間に挟み込んでしまうおそれがあり、傘ばかりでなく自動車本体側を損傷するおそれがある、という問題がある。
【０００５】
本発明は上記従来の課題に鑑みてなされたものであり、その一つの目的は、自動車車内において閉傘した傘の収納部への挿入、取り出しを円滑、短時間に行えるとともに、耐久性が高く、しかも自動車ドア内側の任意の部分において確実に位置決めした状態で車体側に取付残痕をほとんど残すことなく自動車内に取り付けることができる自動車用傘収納装置を提供することにある。
【課題を解決するための手段】
【０００６】
上記課題を解決するために本発明は、自動車ドアＤＲのドアパネルＤＰの室内側に縦長で配置される自動車用傘収納装置１であり、傘Ｕの挿入口１２を有する剛性の長筒状収納部１０と、長筒状収納部１０に接続され自動車ドアＤＲのドアパネルＤＰの室内側上端部ＵＥに着脱自在に掛けられる上フック部３２を有する上掛け部３０と、長筒状収納部１０に接続され自動車ドアＤＲのドアパネルＤＰの室内側下端部ＬＥに着脱自在に掛けられる下フック部５２を有する下掛け部５０と、長筒状収納部１０を不動状に支持する不動状支持装置であって、長筒状収納部１０と下フック部５２との接続長さを可変調節する長さ調節機構２を有する不動状支持装置７０と、を含み、下掛け部５０は長さ調節機構２を具備した長筒状収納部１０と下フック部５２との接続用の索条体５４を含み、長さ調節機構２は、長筒状収納部１０と下フック部５２との接続用索条体５４の端部と、長筒状収納部１０と、を着脱自在に結合する面ファスナ装置６０を含む自動車用傘収納装置１から構成される。
【０００７】
また、本発明は、自動車ドアＤＲのドアパネルＤＰの室内側に縦長で配置される自動車用傘収納装置１であり、傘Ｕの挿入口１２を有する剛性の長筒状収納部１０と、長筒状収納部１０に接続され自動車ドアＤＲのドアパネルＤＰの室内側上端部ＵＥに着脱自在に掛けられる上フック部３２を有する上掛け部３０と、長筒状収納部１０に接続され自動車ドアＤＲのドアパネルＤＰの室内側下端部ＬＥに着脱自在に掛けられる下フック部５２を有する下掛け部５０と、長筒状収納部１０を不動状に支持する不動状支持装置であって、長筒状収納部１０と下フック部５２との接続長さを可変調節する長さ調節機構２を有する不動状支持装置７０と、を含み、上掛け部３０は長筒状収納部１０と上フック部３２との接続用の索条体４０を含み、長筒状収納部１０と上フック部３２との接続用索条体４０の端部と、長筒状収納部１０と、を着脱自在に結合する面ファスナ装置４６が設けられた自動車用傘収納装置１から構成される。
【０００８】
また、接続用の索条体５４の全部又は一部が伸縮弾性材５６であるとよい。
【０００９】
また、下掛け部５０の伸縮弾性材５６は、長筒状収納部１０を自動車ドアＤＲのドアパネルＤＰに近接する方向に引張付勢するように長筒状収納部１０の下部側筒部を周回して掛け回されてもよい。
【００１０】
また、長筒状収納部１０の上端側に接続用索条体４０の案内挿入孔１３を設けるとよい。
【００１１】
また、自動車ドアＤＲのドアパネルＤＰに接する側の長筒状収納部１０の周壁外面には滑り止め部材２８を取り付けてもよい。
【発明の効果】
【００１２】
本発明の自動車用傘収納装置によれば、自動車ドアのドアパネルの室内側に縦長で配置される自動車用傘収納装置であり、傘の挿入口を有する剛性の長筒状収納部と、長筒状収納部に接続され自動車ドアのドアパネルの室内側上端部に着脱自在に掛けられる上フック部を有する上掛け部と、長筒状収納部に接続され自動車ドアのドアパネルの室内側下端部に着脱自在に掛けられる下フック部を有する下掛け部と、長筒状収納部を不動状に支持する不動状支持装置であって、長筒状収納部と下フック部との接続長さを可変調節する長さ調節機構を有する不動状支持装置と、を含む構成であるから、自動車車内において閉傘した傘の収納部への挿入、取り出しを円滑、短時間に行える。また、耐久性が高く、しかも自動車ドア内側の任意の部分において確実に位置決めした状態で車体側に取付残痕をほとんど残すことなく自動車内に取り付けることができる。
【図面の簡単な説明】
【００１３】
【図１】本発明の自動車用傘収納装置の縦断面説明図である。
【図２】図１の自動車用傘収納装置の斜視図である。
【図３】図１の自動車用傘収納装置を自動車のドアパネルに取り付けた状態の正面説明図である。
【図４】図１の自動車用傘収納装置の正面説明図である。
【図５】図１の自動車用傘収納装置を自動車のドアパネルに取り付けた状態の縦断面説明図である。
【図６】本発明の自動車用傘収納装置の作用説明図である。
【図７】図１の自動車用傘収納装置の上掛け部の一部省略拡大説明図である。
【図８】図１の自動車用傘収納装置の下掛け部の一部省略拡大説明図である。
【図９】図１の自動車用傘収納装置の長筒状収納部の下端部分の一部省略縦断面説明図である。
【図１０】図１の自動車用傘収納装置に傘を収納した状態の縦断面説明図である。
【発明を実施するための形態】
【００１４】
以下添付図面を参照しつつ本発明の自動車用傘収納装置の一実施形態について説明する。
【００１５】
図１ないし図１０は、本発明の一実施形態を示しており、実施形態の自動車用傘収納装置１は、図３，５に示すように、自動車の室内、特に自動車ドアのドアパネルＤＰの室内側に縦方向に長く（縦長の状態で）配置される。本実施形態の自動車用傘収納装置１は、長筒状収納部１０と、上掛け部３０と、下掛け部５０と、不動状支持装置７０と、を含む。
【００１６】
長筒状収納部１０は、上端側に傘Ｕの挿入口１２を有する中空長筒状の剛体からなり、合成樹脂成型や紙、木、竹材を組み合わせた長筒体、軽金属成形品などで構成され、好ましくは、内外壁面に防水処理を施したものがよい。長筒状収納部１０はその内部側中空部が傘本体の収納部１４となる。実施形態の長筒状収納部１０は、断面が任意の多角形状でもよいが、強度、製作容易性の点から、円形断面とするのが好ましい。図１、２に示すように本実施形態において、長筒状収納部１０は、下側にいくほど先細りとなる形状であり、下端部は平板状の底板１６で止められて傘の石突Ｆを受け止める。底板１６には水抜き孔１８が設けられ、さらにその下面側に水抜き孔１８を開閉する開閉栓２０がヒンジ２２により開閉可能に取り付けられている（図９参照）。長筒状収納部１０の上端側は筒軸に直角方向の切断部分１２ａと、長筒を湾曲斜めに切り欠いた斜切断部分１２ｂにより挿入口１２が形成されており、閉傘状態の傘が困難なく出し入れしやすいように形成されている。なお、挿入口１２は、傘の挿入並びに取り出し口として機能する。実施形態において、長筒状収納部１０の斜め切断部分１２ｂの切欠上端部に接続用索条体４０の案内挿入孔１３が設けられている。上端側に上フック部３２を連結した接続用索条体４０の下端側をこの案内挿入孔１３に通係しその先端側を長筒状収納部に係着させた際に、長筒状収納部１０の周方向の位置を決めてドアパネル内側での長筒状収納部の位置決めを安定化させることができる。
【００１７】
上掛け部３０は、自動車ドアＤＲのドアパネルＤＰの室内側上端部から長筒状収納部１０を垂下状に支持する長筒状収納部の上位支持手段であり、上フック部３２を有している。長筒状収納部１０と上フック部３２とは直接的または間接的に接続されている。直接に接続する場合は長筒状収納部１０の斜切断部分１２ｂの上端側に上フック部を取り付け、この上フック部を自動車ドアＤＲのドアパネルＤＰの室内外上端部に引っ掛けて長筒状収納部を支持する。本実施形態では上掛け部３０は長筒状収納部１０と上フック部３２との接続用索条体４０を含み、この接続用索条体４０を介して上フック部３２と長筒状収納部１０とが接続される。なお、図３中、ＧＳはドアガラス部である。
【００１８】
上フック部３２は、自動車ドアＤＲのドアパネルＤＰの室内側上端部ＵＥに着脱自在に掛けられる上フック手段であり、例えばドアパネル本体の内側に張り合わせ嵌合される室内側ドアパネル上端部からドアウインドウ溝（孔）縁にかけて係着、離脱自在に掛けられるフック部材を含む。図７に示すように、本実施形態の上フック部３２は、直線部３３から鈍角で変向した曲げ部３４を備えており、曲げ部３４の先端部にフック形状のフック３５が設けられている。フック部３２は図４に示すように金属線条金具を曲げ加工して正面視で略Ｔ字形状とし、Ｔ字の横棒部分を細長孔のループ部３６とするとともにＴ字の縦棒部分が直線部３３を形成している。曲げ部３４はフック３５の曲がり方向と反対方向に曲がる反り部３７を有しており、自動車のドアパネル室内側上端部に係着する際にフック３５の曲がりと反り部３７の反力によりパネル上端部への係着を確実にする。
【００１９】
接続用索条体４０は、上フック部３２と長筒状収納部１０とを連結接続する繋留手段であり、これによって、各種メーカや車種によって異なる自動車のドアパネル室内側上部の形状に応じて垂下状に吊支でき、多くの任意車種について取り付け痕を残すことなく簡単に取り付けることができる。ここに接続用索条体４０は、紐、ベルト、ゴムその他の伸縮弾性索条、金属線条などの金属索条を含み、柔軟な素材で両端側で長筒状収納部１０及び上フック部３２に連結部分を有する。実施形態において接続用索条体４０として布製等のベルトが用いられており、その一端が上フック部３２に連結されると共に、他端は長筒状収納部１０側に連結される。すなわち、実施形態において、ベルトは、一端が上フック部３２のＴ字状金具のループ部３６を挿通して巻き止められると共に、他端が長筒状収納部１０の外周面に着脱自在に係着するようになっている。
【００２０】
図１、２において、一端に上フック部３２を連結した接続用索条体４０の他端に面ファスナ部材４１が取り付けられている。一方、ベルトの他端側延長部分となる長筒状収納部１０の外周に面ファスナ部材２４が取り付けられている。これらの面ファスナ部材４１，２４は、多数のフックとループ群の雌雄嵌合により着脱自在に係着する。これによって、一端に上フック部３２を連結した接続用索条体４０の他端側と長筒状収納部との面ファスナ結合位置を上下に変化させることができ、自動車ドアパネルの内装の任意の形状に対応してそれらの外周に長筒状収納部の上位支持部分を密着状に取り付けることができる。また、上フック部３２をドアパネル上端側に引っ掛けた後で、長筒状収納部１０と接続用索条体４０の面ファスナ結合位置を簡単かつ短時間に調整設定することができる。
【００２１】
実施形態において、面ファスナ部材４１と長筒側面ファスナ部材２４とが上掛け部面ファスナ装置４６を構成する。
【００２２】
下掛け部５０は、自動車ドアＤＲのドアパネルＤＰの室内側に配置した長筒状収納部１０の下側に接続されて長筒状収納部の下側を拘束支持する長筒状収納部の下位支持手段であり、下フック部５２を有している。そして、上掛け部３０と協働して長筒状収納部１０をドアパネルの内側において縦長で横方向に動かないように位置決め支持する。
【００２３】
下フック部５２は、自動車ドアＤＲのドアパネルＤＰの室内側下端部ＬＥに着脱自在に掛けられる下フック手段であり、例えばドアパネル本体の内側に張り合わせ嵌合される室内側ドアパネル下端縁に係着、離脱自在に掛けられるフック部材を含む。下フック部５２は、Ｖ字状に屈曲した屈曲部を有する金属又は合成樹脂製の屈曲部材で形成されている。
【００２４】
本実施形態において、下掛け部５０は、下フック部５２と、接続用索条体５４と、伸縮弾性材５６と、を含む。接続用索条体５４は、上掛け部３０側の接続用索条体４０と同様に、紐、ベルト、金属索条を含み、柔軟な素材で両端側で長筒状収納部１０及び下フック部５２に連結部分を有する。実施形態において、下フック部５２には一端を連結して一つの接続用索条体５４としてのベルト５５が接続されている。
【００２５】
接続用索条体５４は、下フック部５２と長筒状収納部１０とを連結接続する繋留手段であり、これによって、各種自動車のドアパネル室内側下部の形状に応じてベルト等を密着させる部分を形成し、下掛け部による長筒状収納部の下側の支持をさせやすくしている。下フック部によるドアパネル下端部分への着脱係合による係止により取り付け痕を残すことがない。
【００２６】
さらに、本実施形態では、ベルト５５の他端側に他の接続用索条体５４としての伸縮弾性材５６の一端が巻き止められて連結されている。実施形態では伸縮弾性材５６は環状のゴム紐からなり、該ゴム紐の他端側が長筒状収納部１０に着脱自在に係着される。これによって、下掛け部５０はドアパネルＤＰの室内側下端部ＬＥを起点にとって長筒状収納部１０の下部側を支持する。
【００２７】
不動状支持装置７０は、長筒状収納部１０をドアパネルＤＰの内側で縦長に配置して簡単に位置づれしないように支持する位置づれ防止手段であり、特に、本実施形態では、長さ調節機構２を含む。長さ調節機構２は、長筒状収納部１０と下フック部５２との接続長さを可変調節する可変調節手段であり、本実施形態において、伸縮弾性材５６の一端側と長筒状収納部１０の下端寄りの正面側とに取り付けた面ファスナ部材５８、２６との雌雄嵌合により着脱自在に結合する下掛け部面ファスナ装置６０を含む。下掛け部５０は長さ調節機構２を具備した長筒状収納部１０と下フック部５２との接続用の索条体５４を含むことにより、長筒状収納部１０を垂下支持した状態で下掛け部側の接続用索条体５４の長さを長短調節することにより、ドアパネル下端側への適度の引張緊張状態を形成し、長筒状収納部の不動支持を実効化させる。長さ調節機構２は、長筒状収納部１０と下フック部５２との接続用索条体５４の端部と、長筒状収納部１０と、を着脱自在に結合する面ファスナ装置６０を含むので、下フック部５２をドアパネル下端側に引っ掛けた後で、長筒状収納部１０と接続用索条体の面ファスナ結合位置を簡単かつ短時間に調整でき、さらに、適度の緊張状態による不動支持位置を設定することができる。
【００２８】
面ファスナ部材５８、２６は、多数のフックとループ群の雌雄嵌合により着脱自在に係着する。伸縮弾性材５６に取り付けた面ファスナ部材５８の面ファスナ部材２６との結合位置を上下変更することによりドアパネル下端側への引張力が変り、強い緊張支持状態で長筒状収納部１０の不動支持を確実にすることができる。特に、本実施形態では下フック部５２にベルトとゴム紐を連結した索条体を用いているから、外力で長筒状収納部１０の位置がずらされても確実に元の支持位置に復元する。また、自動車ドアパネルの内装の任意の形状に対応してそれらの外周に長筒状収納部の下位支持部分を密着状に取り付けることができる。
【００２９】
なお、図１〜４、６に示すように、下掛け部５０の伸縮弾性材５６であるゴム紐は、長筒状収納部１０を自動車ドアのドアパネルＤＰに近接する方向に引張付勢するように長筒状収納部１０の下部側筒部１０ｕを周回して掛け回されている。これによって、さらに、長筒状収納部１０の下位支持部分をドアパネル側に密着状に取り付けて支持させることができる。本実施形態では、接続用の索条体５４をベルト５５と伸縮弾性材５６との組み合わせで構成しているが、ベルトのみあるいは伸縮弾性材のみで構成してもよい。接続用索条体５４に伸縮弾性材を含めると、下フック部５２をドアパネル下端側に掛けて適度の緊張支持状態を設定しやすくなり、また、長筒状収納部の位置ずれ防止、設定位置への復元性等を得ることができる。さらに、長さ調整をしやすくなる。
【００３０】
長筒状収納部１０と下フック部５２との接続長さを調節する調節手段としては、上記の実施形態の構成に限らず、例えば接続用索条体の中間部をＤ環やバックル、その他の留め具で止めて長さ調整するものや、ガイドとスライダ係合、ラック・ピニオン係合、リニアガイドを利用した接続形態とすることもできる。
【００３１】
前述したように、本実施形態では上掛け部３０についても長筒状収納部１０と上フック部３２との接続用索条体４０が設けられ該接続用索体としてのベルト端部と長筒状収納部１０とが上掛け部面ファスナ装置４６により、面ファスナ接続されているので、下掛け部５０との協働によりドアパネル内側に簡単な操作で、かつ、すばやく長筒状収納部１０を縦長配置し、良好な緊張支持位置を設定することが可能である。
【００３２】
また、図１、５において、自動車ドアのドアパネルＤＰに接する側の長筒状収納部１０の周壁外面には滑り止め部材２８が取り付けられている。これによって、接続用索条体５４により長筒状収納部の胴側部をドアパネルＤＰ側に密着付勢させつつその密着位置での横方向への不動支持を確実なものとし得る。
【００３３】
本実施形態の自動車用傘収納装置の使用に際しては、長筒状収納部１０の案内挿入孔１３から接続用索条体４０としてのベルトの下端を挿入し、ベルトの下端の面ファスナ部材４１を長筒状収納部側の面ファスナ部材２４の適宜の高さ位置で接続させる。この状態で、上掛け部３０の上フック部３２を自動車内のドアパネルＤＰの上端部に掛けて長筒状収納部１０を縦長垂下状に支持させる。次に開放状態の自動車ドアの下端縁にＶ字鉤状の下フック部５２を引っ掛け、接続用索条体５４の伸縮弾性材５６を引き出して長筒状収納部１０の下部側筒部１０ｕを周回させ、伸縮弾性材５６に取り付けた面ファスナ部材５８を長筒状収納部の下側の面ファスナ部材２６に係着させる。伸縮弾性材５６であるゴム紐は、長筒状収納部１０を自動車ドアのドアパネルＤＰに近接する方向に引張付勢し、縦長の長筒状収納部を確実に不動支持する。合成樹脂や軽金属等で構成される長筒状収納部は雨傘等の挿入口１２からの出し入れ程度の使用では容易に形状を変形させることがなく、また、強度、耐久性も十分に有する。雨天時等である程度乱暴に傘を抜き差ししても長筒状収納部の角度や位置が変化することなく、安定して操作が可能である。また、ドアパネルの上下端側にフックを係着させるだけであるから、取り付け残痕を留めることなく、車内美感を維持できる。雨天時の使用によって、長筒状収納部１０の筒内に雫が滴下し底部に滞留するので、適宜、開閉栓２０を開栓して水抜き孔１８から排水することができる。
【００３４】
以上説明した本発明の自動車用傘収納装置は、上記した実施形態のみの構成に限定されるものではなく、特許請求の範囲に記載した発明の本質を逸脱しない範囲において、任意の改変を行ってもよい。
【産業上の利用可能性】
【００３５】
本発明の自動車用傘収納装置は、自動車関連部品等として製作、実施し本体自動車の使用上の利便性を向上させ得る。
【符号の説明】
【００３６】
１  自動車用傘収納装置
２  長さ調節機構
１０  長筒状収納部
１３  案内挿入孔
２４  長筒側面ファスナ部材（上掛け部）
２６  長筒側面ファスナ部材（下掛け部）
３０  上掛け部
３２  上フック部
３５  フック
４０  接続用索条体（上掛け部）
４１  面ファスナ部材（上掛け部接続用索条体）
４６  上掛け部面ファスナ装置
５０  下掛け部
５２  下フック部
５４  接続用索条体（下掛け部）
５６  伸縮弾性材
５８  面ファスナ部材（下掛け部の伸縮弾性材）
６０  下掛け部面ファスナ装置
７０  不動状支持機構
ＤＰ  自動車ドアパネル
ＵＥ  ドアパネルの室内側上端部
ＬＥ  ドアパネルの室内側下端部